(57)【要約】【課題】  本発明は、手間をかけずに床板部から取り外すことのできる排水管接続具を提供することを課題とする。【解決手段】  本発明は、建築物の外壁から張り出す床板部に形成される貫通穴であって、該床板部を上下方向に貫通する貫通穴を介して該床板部上の水を下方に誘導する排水管を仮設するための排水管接続具において、該貫通穴内に配置される筒状の接続管であって、該排水管が接続される接続管内に固定される連結部材と、該連結部材に着脱可能な吊下部材とを備え、該吊下部材は、棒状であり且つ前記接続管に挿通可能な支持杆と、棒状であり且つ該支持杆の長手方向における一方の端部に回転可能に連結される掛止部材であって、長手方向における長さが前記貫通穴の内径よりも長い掛止部材と、該掛止部材から延びる操作部とを有することを特徴とする。【選択図】図７
2016151145.tif 000002
【特許請求の範囲】
【請求項１】
建築物の外壁から張り出す床板部に形成される貫通穴であって、該床板部を上下方向に貫通する貫通穴を介して該床板部上の水を下方に誘導する排水管を仮設するための排水管接続具において、該貫通穴内に配置される筒状の接続管であって、該排水管が接続される接続管内に固定される連結部材と、該連結部材に着脱可能な吊下部材とを備え、該吊下部材は、棒状であり且つ前記接続管に挿通可能な支持杆と、棒状であり且つ該支持杆の長手方向における一方の端部に回転可能に連結される掛止部材であって、長手方向における長さが前記貫通穴の内径よりも長い掛止部材と、該掛止部材から延びる操作部とを有することを特徴とする排水管接続具。
【請求項２】
前記連結部材は、前記接続管に固定されるベース部と、該ベース部に形成される係合部とを有し、前記吊下部材の支持杆は、係合部と係合し合う被係合部を有し、前記係合部及び該被係合部の少なくとも何れか一方は、前記支持杆の前記接続管に対する挿通方向において間隔をあけて複数形成される請求項１に記載の排水管接続具。
【請求項３】
前記吊下部材は、前記掛止部材の回転周方向における一方向への回転を許容し且つ前記掛止部材の回転周方向における他方向への回転を規制可能な回止部であって、前記支持杆及び前記掛止部材の何れか一方に固定され且つ前記支持杆の長手方向と前記掛止部材の長手方向とが互いに直交する状態において前記支持杆及び前記掛止部材の何れか他方に当接する回止部を有する請求項１又は請求項２に記載の排水管接続具。
【請求項４】
前記吊下部材は、前記掛止部材を回転周方向における一方向又は回転周方向における他方向に向けて付勢する付勢部材を有する請求項１又は請求項２に記載の排水管接続具。
【請求項５】
前記吊下部材は、前記掛止部材を回転周方向における他方向に向けて付勢する付勢部材を有する請求項３に記載の排水管接続具。
【発明の詳細な説明】
【技術分野】
【０００１】
本発明は、建築物の床板部に形成される貫通穴に排水管を仮設するための排水管接続具に関する。
【背景技術】
【０００２】
従来から、建築物の外壁から張り出す床板部（例えば、ベランダの床やバルコニーの床等）には、上下方向に貫通する貫通穴が形成される。そして、床板部には、貫通穴を介して床板部上の水（例えば、雨水や雑排水等）を下方に誘導する排水管が設置されている。
【０００３】
しかしながら、例えば、各種工事が行われている建築物では、床板部に排水管が設置されていないことがある。この場合、貫通穴を介して床板部の下方に落ちた水が床板部の下方で行われる作業を妨げたり、建築物を汚したりすることがある。
【０００４】
そのため、各種工事が行われている建築物では、貫通穴に排水管を仮設する排水管接続具が用いられることがある。
【０００５】
より具体的に説明する。図１２、図１３に示すように、排水管接続具４は、貫通穴Ｄ１内に配置される筒状の接続管Ｃであって、排水管Ｐが接続される接続管Ｃ内に固定される連結部材４０と、該連結部材４０に着脱可能な吊下部材４１とを備える（例えば、特許文献１参照）。なお、図１２、図１３に図示される貫通穴Ｄ１には、筒状の金具Ｄ２が配置されている。
【０００６】
吊下部材４１は、棒状であり且つ前記接続管Ｃに挿通可能な支持杆４１０と、棒状であり且つ該支持杆４１０の長手方向における一方の端部に回転可能に連結される掛止部材４１１であって、長手方向における長さが前記貫通穴Ｄ１の内径よりも長い掛止部材４１１とを有する。
【０００７】
前記排水管接続具４によって排水管Ｐを仮設するには、まず、掛止部材４１１を回転させることによって、掛止部材４１１と支持杆４１０とを貫通穴Ｄ１に挿入可能な状態にする。そして、掛止部材４１１と支持杆４１０とを床板部Ｆの下方から貫通穴Ｄ１内に挿通し、さらに、該掛止部材４１１を床板部Ｆの上方に配置する。
【０００８】
そして、掛止部材４１１の長手方向を支持杆４１０の長手方向に直交又は略直交させた後に、該掛止部材４１１を床板部Ｆの上面における貫通穴Ｄ１周りに掛止する。これにより、吊下部材４１が床板部Ｆに吊り下げられる。
【０００９】
そして、連結部材４０を吊下部材４１に取り付けると、接続管Ｃが貫通穴Ｄ１内に配置された状態で維持される。これにより、前記排水管接続具４は、排水管Ｐを仮設できる状態になる。
【先行技術文献】
【特許文献】
【００１０】
【特許文献１】特許第３３２５４８４号公報
【発明の概要】
【発明が解決しようとする課題】
【００１１】
ところで、床板部Ｆに取り付けられた排水管接続具４では、床板部Ｆから吊り下げられた吊下部材４１に連結部材４０が取り付けられる。そのため、前記排水管接続具４を床板部Ｆから取り外す場合、掛止部材４１１を床板部Ｆ上から外した後に、連結部材４０と吊下部材４１とを床板部Ｆの下方から回収している。
【００１２】
このように、前記排水管接続具４は、床板部Ｆから取り外すにあたり、床板部Ｆの上方と、床板部Ｆの下方とで作業を行う必要があり、床板部Ｆから取り外す作業に手間がかかることが問題となっている。
【００１３】
そこで、本発明は、斯かる実情に鑑み、手間をかけずに床板部から取り外すことのできる排水管接続具を提供することを課題とする。
【課題を解決するための手段】
【００１４】
本発明に係る排水管接続具は、建築物の外壁から張り出す床板部に形成される貫通穴であって、該床板部を上下方向に貫通する貫通穴を介して該床板部上の水を下方に誘導する排水管を仮設するための排水管接続具において、該貫通穴内に配置される筒状の接続管であって、該排水管が接続される接続管内に固定される連結部材と、該連結部材に着脱可能な吊下部材とを備え、該吊下部材は、棒状であり且つ前記接続管に挿通可能な支持杆と、棒状であり且つ該支持杆の長手方向における一方の端部に回転可能に連結される掛止部材であって、長手方向における長さが前記貫通穴の内径よりも長い掛止部材と、該掛止部材から延びる操作部とを有することを特徴とする。
【００１５】
上記構成の排水管接続具によれば、掛止部材が支持杆の第一の端部に対して回転可能に連結されるため、掛止部材の姿勢を変更することによって、吊下部材の状態を支持杆の長手方向を掛止部材の長手方向に対応又は略対応させた状態と、支持杆の長手方向を掛止部材の長手方向に直交又は略直交させた状態とに切り替えることができる。
【００１６】
そして、支持杆と掛止部材とは、接続管（貫通穴）に挿通可能な棒状であるため、それぞれの長手方向を対応又は略対応させることによって、貫通穴に挿通可能になる。
【００１７】
さらに、吊下部材では、掛止部材の長手方向における長さが貫通穴の内径よりも長いため、掛止部材の長手方向を支持杆の長手方向に直交又は略直交させることによって、掛止部材を床板部の上面における貫通穴周りに掛止可能になる。
【００１８】
また、前記排水管接続具では、吊下部材が掛止部材から延びる操作部を有するため、掛止部材が床板部の上面における貫通穴周りに掛止されると、操作部が掛止部材に吊り下げられる。そのため、前記排水管接続具では、床板部の下方から操作部を操作することによって、掛止部材を回転させることができる。すなわち、前記排水管接続具では、床板部の下方から掛止部材の姿勢を変更することができる。
【００１９】
そのため、前記排水管接続具は、吊下部材から連結部材を取り外す作業や、床板部から吊下部材を取り外す作業を床板部の下方において行うことができる。従って、前記排水管接続具は、手間をかけずに床板部から取り外すことができる。
【００２０】
本発明に係る排水管接続具の一態様として、前記連結部材は、前記接続管に固定されるベース部と、該ベース部に形成される係合部とを有し、前記吊下部材の支持杆は、係合部と係合し合う被係合部を有し、前記係合部及び該被係合部の少なくとも何れか一方は、前記支持杆の前記接続管に対する挿通方向において間隔をあけて複数形成されるようにしてもよい。
【００２１】
かかる構成によれば、前記係合部及び該被係合部の少なくとも何れか一方が前記支持杆の前記接続管に対する挿通方向において間隔をあけて複数形成されるため、該挿通方向において、連結部材の位置を調整することができる。すなわち、前記排水管接続具は、前記挿通方向において、接続管を配置する位置を調整することができる。従って、上記構成の排水管接続具は、取付対象とする床板部や、貫通穴に応じて、接続管を配置する位置を調整することができる。
【００２２】
本発明に係る排水管接続具の他態様として、前記吊下部材は、前記掛止部材の回転周方向における一方向への回転を許容し且つ前記掛止部材の回転周方向における他方向への回転を規制可能な回止部であって、前記支持杆及び前記掛止部材の何れか一方に固定され且つ前記支持杆の長手方向と前記掛止部材の長手方向とが互いに直交する状態において前記支持杆及び前記掛止部材の何れか他方に当接する回止部を有するようにしてもよい。
【００２３】
かかる構成によれば、吊下部材が支持杆及び掛止部材の何れか一方に固定され且つ支持杆の長手方向と掛止部材の長手方向とが互いに直交する状態において支持杆及び掛止部材の何れか他方に当接する回止部を有する。そのため、掛止部材を回転周方向における他方向に回転させることによって掛止部材の長手方向を支持杆の長手方向に直交させると、支持杆及び掛止部材の何れか他方に回止部が当接する。
【００２４】
これにより、掛止部材では、床板部の上面における貫通穴周りに掛止可能な状態において、回転周方向における他方向への回転が規制される。従って、前記排水管接続具は、掛止部材を床板部の上面における貫通穴周りに掛止可能な姿勢に変更し易い。
【００２５】
本発明に係る排水管接続具の別の態様として、前記吊下部材は、前記掛止部材を回転周方向における一方向又は回転周方向における他方向に向けて付勢する付勢部材を有するようにしてもよい。
【００２６】
かかる構成によれば、付勢部材の付勢力に抗して掛止部材を回転させることによって、該掛止部材の姿勢を変更することができる。そして、操作部に対する操作を解除すると、付勢部材の付勢力によって掛止部材の姿勢が元の姿勢に戻る。そのため、前記排水管接続具では、掛止部材の姿勢を戻す手間を省くことができる。
【００２７】
本発明に係る排水管接続具のさらに別の態様として、前記吊下部材は、前記掛止部材を回転周方向における他方向に向けて付勢する付勢部材を有するようにしてもよい。
【００２８】
このようにすれば、掛止部材が付勢部材によって回転周方向における他方向に付勢されるため、回転周方向における一方向に回転させた掛止部材には、付勢部材の付勢力が作用する。そのため、掛止部材の長手方向を支持杆の長手方向に対応又は略対応させている状態において操作部に対する操作を解除すると、掛止部材が回転周方向における他方向に回転する。そして、掛止部材の長手方向が支持杆の長手方向に直交すると、回止部によって、掛止部材の回転周方向における他方向への回転が規制される。
【００２９】
従って、前記排水管接続具は、操作部を操作することなく、掛止部材の姿勢を床板部の上面における貫通穴周りに掛止可能な姿勢に容易に変更することができる。
【発明の効果】
【００３０】
以上のように、本発明の排水管接続具によれば、手間をかけずに床板部から取り外すことができるという優れた効果を奏し得る。
【図面の簡単な説明】
【００３１】
【図１】図１は、本発明の一実施形態に係る排水管接続具の正面図である。
【図２】図２は、同実施形態に係る排水管接続具の吊下部材の平面図である。
【図３】図３は、同実施形態に係る排水管接続具の接続管及び連結部材の正面図である。
【図４】図４は、同実施形態に係る排水管接続具の断面図であって、図２におけるＩＶ−ＩＶ線における断面図である。
【図５】図５は、同実施形態に係る排水管接続具の説明図であって、吊下部材の掛止部材を貫通穴の上方に配置した状態の説明図である。
【図６】図６は、同実施形態に係る排水管接続具の説明図であって、吊下部材の掛止部材を貫通穴周りに掛止した状態の説明図である。
【図７】図７は、同実施形態に係る排水管接続具の説明図であって、吊下部材に接続管を取り付けた状態の説明図である。
【図８】図８は、同実施形態に係る排水管接続具の断面図であって、図７におけるＶＩＩＩ−ＶＩＩＩ線における断面図である。
【図９】図９は、同実施形態に係る排水管接続具の説明図であって、吊下部材の掛止部材を取り外している状態の説明図である。
【図１０】図１０は、本発明の他の実施形態に係る排水管接続具の正面図である。
【図１１】図１１は、本発明の別の実施形態に係る排水管接続具の正面図である。
【図１２】図１２は、従来の排水管接続具の正面図である。
【図１３】図１３は、従来の排水管接続具の縦断面図である。
【発明を実施するための形態】
【００３２】
以下、本発明の排水管接続具（以下、接続具とする）の一実施形態について、図面を参照しつつ説明する。本実施形態に係る接続具は、建築物の外壁から張り出す床板部（例えば、ベランダやバルコニー等）に形成される貫通穴であって、該床板部を上下方向に貫通する貫通穴を介して該床板部上の水を下方に誘導する排水管を仮設するものである。
【００３３】
図１、及び図７に示すように、排水管接続具１は、貫通穴Ｄ１内に配置される筒状の接続管Ｃであって、排水管Ｐが接続される接続管Ｃ内に固定される連結部材２と、該連結部材２に着脱可能な吊下部材３とを備える。
【００３４】
本実施形態では、図７に示すように、貫通穴Ｄ１に筒状の金具Ｄ２が配置されていることを前提に説明を行うが、接続具１は、金具Ｄ２が配置されていない貫通穴Ｄ１に取り付けることもできる。
【００３５】
まず、接続管Ｃについて説明する。接続管Ｃは、少なくとも一部を貫通穴Ｄ１内に配置する第一の接続部Ｃ１と、該第一の接続部Ｃ１から延出し且つ排水管Ｐを接続可能な第二の接続部Ｃ２とを有する。
【００３６】
第一の接続部Ｃ１は、筒状（本実施形態では、円筒状）の円筒部Ｃ１０と、該円筒部Ｃ１０から延出し且つ円筒部Ｃ１０に連続する基端と該基端とは反対側の先端とを有するテーパー部Ｃ１１とを有する。テーパー部Ｃ１１は、基端から先端にかけて内径が連続的に小さくなる。
【００３７】
第二の接続部Ｃ２は、テーパー部Ｃ１１（テーパー部Ｃ１１の先端）から延出する筒状の延出部Ｃ２０を有する。また、第二の接続部Ｃ２は、延出部Ｃ２０に接続された排水管Ｐの脱落を防止する脱落防止部Ｃ２１を有する。さらに、第二の接続部Ｃ２は、延出部Ｃ２０の外周面から内周面に亘って貫通する取付穴（採番しない）を有する。
【００３８】
延出部Ｃ２０は、テーパー部Ｃ１１に連続する基端と該基端とは反対側の先端とを有する。
【００３９】
脱落防止部Ｃ２１は、延出部Ｃ２０の外周面から径方向外方向に向けて突出する突部Ｃ２１０を有する。本実施形態に係る脱落防止部Ｃ２１では、延出部Ｃ２０の周方向において間隔をあけて形成される二つの突部Ｃ２１０を有する。
【００４０】
本実施形態に係る第二の接続部Ｃ２では、延出部Ｃ２０の周方向に間隔をあけて二つ取付穴が形成される。すなわち、第二の接続部Ｃ２は、二つの取付穴を有する。
【００４１】
図２に示すように、連結部材２は、接続管Ｃの内部に固定されるベース部２０と、該ベース部２０に形成される係合部２１（図３参照）とを有する。また、連結部材２は、ベース部２０に形成され且つ係合部２１を取り囲む枠部２２を有する。
【００４２】
ベース部２０は、互いに対向し、それぞれが接続管Ｃの内部に固定される一対の対向部２００と、該一対の対向部２００のそれぞれにつながるベース部本体部２０１とを有する。
【００４３】
図４に示すように、前記一対の対向部２００のそれぞれには、固定穴（採番しない）が形成される。そして、一対の対向部２００のうちの一方の対向部２００は、延出部Ｃ２０の二つの取付穴のうちの一方の取付穴に対応する位置に配置される。また、一対の対向部２００のうちの他方の対向部２００は、延出部Ｃ２０の二つの取付穴のうちの他方の取付穴に対応する位置に配置される。
【００４４】
そのため、本実施形態に係る接続具１では、前記一方の取付穴と前記一方の固定穴とに挿通させたボルトにナットが螺合される。また、接続具１では、前記他方の取付穴と前記他方の貫通穴とに挿通させたボルトにナットが螺合される。これにより、接続具１では、連結部材２（ベース部２０）が接続管Ｃ（延出部Ｃ２０）内に固定される。
【００４５】
図２に示すように、係合部２１は、ベース部本体部２０１から接続管Ｃの内周面に向けて延出する第一の爪部２１０と、該第一の爪部２１０から下方に延出する第二の爪部２１１とを有する。
【００４６】
枠部２２は、第一の爪部２１０及び第二の爪部２１１の両隣に配置され且つベース部本体部２０１から延出する一対の第一の枠部２２０と、該一対の枠部２２のそれぞれの先端部につながる第二の枠部２２１とを有する。
【００４７】
各第一の枠部２２０は、第一の爪部２１０及び第二の爪部２１１との間に間隔をあけて配置される。また、第二の枠部２２１は、第二の爪部２１１との間に間隔をあけて配置される。
【００４８】
図３に示すように、吊下部材３は、棒状であり且つ前記接続管Ｃに挿通可能な支持杆３０と、棒状であり且つ該支持杆３０の長手方向における一方の端部に回転可能に連結される掛止部材３１であって、長手方向における長さが前記貫通穴Ｄ１の内径よりも長い掛止部材３１と、該掛止部材３１から延びる操作部３２とを有する。
【００４９】
また、吊下部材３は、掛止部材３１の回転周方向における一方向への回転を許容し且つ掛止部材３１の回転周方向における他方向への回転を規制可能な回止部３３であって、支持杆３０及び掛止部材３１の何れか一方に固定され且つ支持杆３０の長手方向と掛止部材３１の長手方向とが互いに直交する状態において支持杆３０及び掛止部材３１の何れか他方に当接する回止部３３を有する。
【００５０】
本実施形態において、支持杆３０は、平板状である。支持杆３０は、長手方向において互いに間隔をあけて形成され且つ係合部２１と係合し合う複数の被係合部３００を有する。すなわち、複数の被係合部３００のそれぞれは、支持杆３０の長手方向における一方の端部（以下、第一の端部という）と、支持杆３０の長手方向における他方の端部（以下、第二の端部という）とが並ぶ方向において互いに間隔をあけて並ぶ。
【００５１】
本実施形態では、支持杆３０に複数の挿通穴（採番号しない）を形成することによって、複数の被係合部３００を構成している。すなわち、支持杆３０における各挿通穴を画定する部分によって被係合部３００が構成される。このように、本実施形態に係る接続具１では、連結部材２が持杆３０に対して着脱可能である。
【００５２】
本実施形態において、掛止部材３１は、平板状である。掛止部材３１は、長手方向において第一の端部と該第一の端部とは反対側の第二の端部とを有する。掛止部材３１は、第一の端部と第二の端部との間が支持杆３０に対して回転可能に連結される。本実施形態に係る掛止部材３１は、長手方向における中央部が支持杆３０に対して回転可能に連結される。なお、本実施形態に係る吊下部材３は、掛止部材３１と支持杆３０とに挿通された軸部材３４を有する。これにより、本実施形態に係る吊下部材３では、掛止部材３１と支持杆３０とが相対回転可能に構成される。
【００５３】
操作部３２は、掛止部材３１の長手方向における中央から外れた位置に接続される。また、操作部３２は、掛止部材３１に対して相対回転可能である。より具体的に説明する。操作部３２は、掛止部材３１に挿通される第一の端部と該第一の端部とは反対側の第二の端部とを有する操作部本体３２０と、掛止部材３１に対して操作部本体３２０の第一の端部を抜け止めする抜止部３２１とを有する。
【００５４】
操作部本体３２０は、長尺である。操作部本体３２０の第一の端部は、屈曲する。そのため、操作部本体３２０の第一の端部は、掛止部材３１に対する面直交方向において延びる。従って、操作部本体３２０は、第一の端部を回転中心として掛止部材３１と相対回転可能である。
【００５５】
さらに、操作部本体３２０の第一の端部は、掛止部材３１の長手方向における中央から外れた位置に挿通される。本実施形態において、操作部本体３２０の第一の端部は、掛止部材３１の長手方向における中央から掛止部材３１の第一端側にずれた位置に挿通される。
【００５６】
抜止部３２１は、操作部本体３２０の第一の端部の先端に形成される。また、抜止部３２１の外径は、操作部本体３２０の外径よりも大きい。これにより、抜止部３２１によって、操作部本体３２０の第一の端部が掛止部材３１に対して抜け止めされる。
【００５７】
回止部３３は、支持杆３０に取り付けられ且つ掛止部材３１が貫通穴Ｄ１に掛止可能な状態において、掛止部材３１に当接する。より具体的に説明する。回止部３３は、支持杆３０に接続される接続片３３０と、該接続片３３０に繋がる当接片３３１とを有する。
【００５８】
接続片３３０は、支持杆３０の第一の端部に接続される。本実施形態に係る接続片３３０は、支持杆３０における掛止部材３１が重なる面とは反対の面に接続される。
【００５９】
当接片３３１は、支持杆３０から掛止部材３１が配置される方向に延出する。また、当接片３３１は、支持杆３０（掛止部材３１の回転中心）を介して操作部３２の反対側に位置する。
【００６０】
本実施形態では、操作部３２が掛止部材３１の長手方向における中央から掛止部材３１の第一端側にずれた位置に配置される。そのため、当接片３３１は、掛止部材３１の長手方向における中央から掛止部材３１の第二端側にずれた位置に配置される。
【００６１】
本実施形態に係る接続具１は、以上の通りである。続いて、本実施形態に係る接続具１によって排水管Ｐを仮設する方法について、図面を参照しつつ説明を行う。
【００６２】
本実施形態では、接続具１によって貫通穴Ｄ１と排水管Ｐとを接続するにあたり、吊下部材３が貫通穴Ｄ１に取り付けられる。
【００６３】
より具体的に説明する。まず、操作部３２を操作することによって、掛止部材３１を回転周方向における一方向に回転させる。掛止部材３１の長手方向を支持杆３０の長手方向に対応又は略対応させる。これにより、掛止部材３１と支持杆３０とを貫通穴Ｄ１に挿通可能にする。
【００６４】
そして、掛止部材３１と支持杆３０とを床板部Ｆの下方から貫通穴Ｄ１内に挿通し、さらに、図５に示すように、掛止部材３１を貫通穴Ｄ１の上方に配置する。このようにした後に、操作部３２を操作することによって、掛止部材３１を回転周方向における他方向に回転させる。
【００６５】
掛止部材３１の長手方向が支持杆３０の長手方向に対して直交又は略直交すると、掛止部材３１に回止部３３が当接する。これにより、掛止部材３１では、床板部Ｆの上面における貫通穴Ｄ１周りに掛止可能な状態において、回転周方向における他方向への回転が規制される。そして、図６に示すように、掛止部材３１の第一の端部と掛止部材３１の第二の端部とを貫通穴Ｄ１周りに掛止する。
【００６６】
このとき、操作部３２と支持杆３０とが掛止部材３１に吊り下げられる。そして、操作部３２と支持杆３０とは、掛止部材３１に吊り下げられた状態において、貫通穴Ｄ１から床板材の下方に延出する。
【００６７】
そして、支持杆３０、及び操作部３２のそれぞれを接続管Ｃの円筒部Ｃ１０内に挿通させつつ、該円筒部Ｃ１０を貫通穴Ｄ１内に配置する。
【００６８】
さらに、図７に示すように、連結部材２を支持杆３０に固定する。より具体的に説明する。まず、支持杆３０を第二の端部から係合部２１と枠部２２との間に挿通する。そして、図８に示すように、第二の爪部２１１及び第一の爪部２１０を支持杆３０の挿通穴に挿通する。このようにすると、第二の爪部２１１が支持杆３０の被係合部３００に引っ掛かり、接続管Ｃが支持杆３０に固定される。
【００６９】
これにより、接続管Ｃの貫通穴Ｄ１内に配置された状態が維持される。従って、接続具１は、排水管Ｐを仮設できる状態になる（図７参照）。
【００７０】
接続具１を貫通穴Ｄ１から取り外すには、まず、連結部材２を吊下部材３（支持杆３０）から取り外す。より具体的に説明する。まず、第一の爪部２１０及び第二の爪部２１１のそれぞれを支持杆３０の挿通穴から外す。このようにすると、連結部材２と支持杆３０との固定が解除される。そして、接続管Ｃを下方に移動させる。これにより、接続管Ｃが吊下部材３から取り外される。
【００７１】
これに伴い、吊下部材３では、掛止部材３１に吊り下げられた操作部３２と支持杆３０とが貫通穴Ｄ１から下方において露出する。そして、支持杆３０と操作部３２とを上方に移動させることによって、掛止部材３１を貫通穴Ｄ１よりも上方に配置する。
【００７２】
さらに、操作部３２を操作することによって、掛止部材３１を回転させる。本実施形態では、掛止部材３１を回転周方向における一方向に回転させる。
【００７３】
このようにして、掛止部材３１の長手方向を支持杆３０の長手方向に対応又は略対応させて、掛止部材３１と支持杆３０とを貫通穴Ｄ１内に挿通可能にする。
【００７４】
そして、操作部３２と支持杆３０とを下方に移動させることによって、掛止部材３１を貫通穴Ｄ１内から床板部Ｆの下方に引き出す。これにより、吊下部材３が貫通穴Ｄ１から取り外される。
【００７５】
以上のように、本実施形態に係る接続具１は、吊下部材３から連結部材２を取り外す作業や、床板部Ｆから吊下部材３を取り外す作業を床板部Ｆの下方において行うことができるため、手間をかけずに床板部Ｆから取り外すことができる。
【００７６】
より具体的に説明する。接続具１では、掛止部材３１が支持杆３０の第一の端部に対して回転可能に連結されるため、掛止部材３１の姿勢を変更することによって、吊下部材３の状態を支持杆３０の長手方向を掛止部材３１の長手方向に対応又は略対応させた状態と、支持杆３０の長手方向を掛止部材３１の長手方向に直交又は略直交させた状態とに切り替えることができる。
【００７７】
そして、支持杆３０と掛止部材３１とは、接続管Ｃ（貫通穴Ｄ１）に挿通可能な棒状であるため、それぞれの長手方向を対応又は略対応させることによって、貫通穴Ｄ１に挿通可能になる。
【００７８】
さらに、吊下部材３では、掛止部材３１の長手方向における長さが貫通穴Ｄ１の内径よりも長いため、掛止部材３１の長手方向を支持杆３０の長手方向に直交又は略直交させることによって、掛止部材３１を床板部Ｆの上面における貫通穴Ｄ１周りに掛止可能になる。
【００７９】
そして、接続具１では、吊下部材３が掛止部材３１から延びる操作部３２を有するため、掛止部材３１が床板部Ｆの上面における貫通穴Ｄ１周りに掛止されると、操作部３２が掛止部材３１に吊り下げられる。そのため、接続具１では、床板部Ｆの下方から操作部３２を操作することによって、掛止部材３１を回転させることができる。すなわち、接続具１では、床板部Ｆの下方から掛止部材３１の姿勢を変更することができる。
【００８０】
また、接続具１は、被係合部３００が支持杆３０の接続管Ｃに対する挿通方向において間隔をあけて複数形成されるため、該挿通方向において、連結部材２の位置を調整することができる。すなわち、接続具１は、挿通方向において、接続管Ｃを配置する位置を調整することができる。従って、接続具１は、取付対象とする床板部Ｆや、貫通穴Ｄ１に応じて、接続管Ｃを配置する位置を調整することができる。
【００８１】
さらに、接続具１は、吊下部材３が支持杆３０及び掛止部材３１の何れか一方に固定され且つ支持杆３０の長手方向と掛止部材３１の長手方向とが互いに直交する状態において支持杆３０及び掛止部材３１の何れか他方に当接する回止部３３を有する。そのため、掛止部材３１を回転周方向における他方向に回転させることによって掛止部材３１の長手方向を支持杆３０の長手方向に直交させると、支持杆３０及び掛止部材３１の何れか他方に回止部３３が当接する。
【００８２】
これにより、掛止部材３１では、床板部Ｆの上面における貫通穴Ｄ１周りに掛止可能な状態において、回転周方向における他方向への回転が規制される。従って、接続具１は、掛止部材３１を床板部Ｆの上面における貫通穴Ｄ１周りに掛止可能な姿勢に変更し易い。
【００８３】
また、接続具１では、上述のように、操作部３２を操作することによって、床板部Ｆよりも上方に配置した掛止部材３１を回転させることができるため、床板部Ｆに吊下部材３を取り付ける作業も、床板部Ｆの下方において行うことができる。従って、接続具１は、手間をかけずに床板部Ｆに取り付けることもできる。
【００８４】
なお、本発明に係る薬液バッグは、上記一実施形態に限定されるものではなく、本発明の要旨を逸脱しない範囲において種々変更を行うことは勿論である。
【００８５】
上記実施形態において、第二の接続部Ｃ２は、排水管Ｐが外嵌されるが、この構成に限定されない。例えば、第二の接続部Ｃ２は、排水管Ｐが内嵌されてもよい。
【００８６】
上記実施形態において、脱落防止部Ｃ２１は、一対の突部Ｃ２１０を有するが、この構成に限定されない。例えば、脱落防止部Ｃ２１は、一つの突部Ｃ２１０を有するようにしたり、三つ以上の突部Ｃ２１０を有するようにしたりしてもよい。
【００８７】
上記実施形態において、脱落防止部Ｃ２１は、延出部Ｃ２０の外周面から径方向外方向に向けて突出する突部Ｃ２１０を有するが、この構成に限定されない。例えば、脱落防止部Ｃ２１は、排水管Ｐが延出部Ｃ２０に接続された状態を維持することができれば、延出部Ｃ２０の外周面に形成される雄ねじ部を有するようにしてもよい。また、脱落防止部Ｃ２１は、延出部Ｃ２０の内周面に形成される雌ねじ部を有するようにしてもよい。
【００８８】
上記構成において、特に言及しなかったが、吊下部材３は、掛止部材３１を回転周方向における一方向又は回転周方向における他方向に向けて付勢する付勢部材３５を有するようにしてもよい。
【００８９】
付勢部材３５は、掛止部材３１を回転周方向における他方向に向けて付勢することが好ましい。このようにすれば、付勢部材３５の付勢力に抗して掛止部材３１を回転させることによって、該掛止部材３１の姿勢を変更することができる。そして、操作部３２に対する操作を解除すると、付勢部材３５の付勢力によって掛止部材３１の姿勢が元の姿勢に戻る。そのため、前記排水管Ｐ接続具１では、掛止部材３１の姿勢を戻す手間を省くことができる。
【００９０】
より具体的に説明する。付勢部材３５は、図１０に示すように、掛止部材３１の長手方向における中央から外れた位置に配置される錘部３５０を有するようにしてもよい。なお、図１０に示す接続具１では、錘部３５０が掛止部材３１の第二の端部に配置される。
【００９１】
また、付勢部材３５は、図１１に示すように、掛止部材３１の長手方向における中央から外れた位置と支持杆３０とにつながる引張バネ３５１を有していてもよい。なお、図１１に示す接続具１では、引張バネ３５１が掛止部材３１の第二の端部と支持杆３０とにつながる。
【００９２】
上記実施形態において、連結部材２は、ベースから延出する係合部２１（第一の爪部２１０及び第二の爪部２１１）を支持杆３０の挿通穴に挿通していたが、この構成に限定されない。例えば、連結部材２は、ベースを貫通する挿通穴を有するようにしてもよい。この場合、ベースの挿通穴に挿通させる構成を支持杆３０に形成すればよい。
【００９３】
上記実施形態において、連結部材２が一つの係合部２１を有し、支持杆３０が複数の被係合部３００を有していたが、この構成に限定されない。例えば、連結部材２が複数の係合部２１を有し、支持杆３０が一つの被係合部３００を有していてもよい。また、連結部材２が複数の係合部２１を有し、さらに、支持杆３０が複数の被係合部３００を有していてもよい。すなわち、接続具１では、係合部２１及び被係合部３００の少なくとも何れか一方が複数形成されていればよい。
【００９４】
上記実施形態において、回止部３３は、支持杆３０に取り付けられるが、この構成に限定されない。例えば、回止部３３は、掛止部材３１に形成されてもよい。すなわち、回止部３３は、掛止部材３１が貫通穴Ｄ１に掛止可能な状態において、支持杆３０に当接するように構成されてもよい。
【００９５】
上記実施形態において、回止部３３の接続片３３０は、支持杆３０に溶接されていたが、この構成に限定されない。例えば、回止部３３の接続片３３０は、支持杆３０にねじ止めされてもよい。また、周止部３３は、支持杆３０と一体成型されてもよい。
【符号の説明】
【００９６】
１…排水管接続具（接続具）、２…連結部材、３…吊下部材、２０…ベース部、２１…係合部、２２…枠部、３０…支持杆、３１…掛止部材、３２…操作部、３３…回止部、３４…軸部材、３５…付勢部材、２００…対向部、２０１…ベース部本体部、２１０…第一の爪部、２１１…第二の爪部、２２０…第一の枠部、２２１…第二の枠部、３００…被係合部、３２０…操作部本体、３２１…抜止部、３３０…接続片、３３１…当接片、３５０…錘部、３５１…引張バネ、Ｃ…接続管、Ｃ１…第一の接続部、Ｃ２…第二の接続部、Ｃ１０…円筒部、Ｃ１１…テーパー部、Ｃ２０…延出部、Ｃ２１…脱落防止部、Ｃ２１０…突部、Ｄ１…貫通穴、Ｄ２…金具、Ｆ…床板部、Ｐ…排水管
【図１】
2016151145.tif 000003
【図２】
2016151145.tif 000004
【図３】
2016151145.tif 000005
【図４】
2016151145.tif 000006
【図５】
2016151145.tif 000007
【図６】
2016151145.tif 000008
【図７】
2016151145.tif 000009
【図８】
2016151145.tif 000010
【図９】
2016151145.tif 000011
【図１０】
2016151145.tif 000012
【図１１】
2016151145.tif 000013
【図１２】
2016151145.tif 000014
【図１３】
2016151145.tif 000015